(57)【要約】【課題】口腔中に挿入し、上下歯列間に各歯を覆って一体的に嵌合する睡眠時無呼吸症候群の無呼吸治療用装具兼用いびき防止装具の改良として、使用において違和感のない用具を提供する。【解決手段】口腔中に挿入し、上下歯列間に各歯を覆って一体的に嵌合する睡眠時無呼吸症候群の無呼吸治療用装具兼用いびき防止装具において、上列の左右５番まで、下列の左右６番までを覆うようにし、上列の左右２〜２番の唇側を非覆い部とし、また上列の左右３〜３番の舌側を非覆い部としたことを特徴とする睡眠時無呼吸症候群治療用装具兼用いびき防止装具、嵌合具合を上下ともに緩めとするようにしたことを特徴とする前記記載の睡眠時無呼吸症候群の無呼吸治療用装具兼用いびき防止装具。【選択図】  図３
2006020986.tif 000002
【特許請求の範囲】
【請求項１】
口腔中に挿入し、上下歯列間に各歯を覆って一体的に嵌合する睡眠時無呼吸症候群の無呼吸治療用装具兼用いびき防止装具において、上列の左右５番まで、下列の左右６番までを覆うようにし、上列の左右２〜２番の唇側を非覆い部とし、また上列の左右３〜３番の舌側を非覆い部としたことを特徴とする睡眠時無呼吸症候群の無呼吸治療用装具兼用いびき防止装具。
【請求項２】
嵌合具合を上下ともに緩めとするようにしたことを特徴とする請求項１記載の睡眠時無呼吸症候群の無呼吸治療用装具兼用いびき防止装具。
【発明の詳細な説明】
【技術分野】
【０００１】  この発明は、口腔中に挿入し、上下歯列間に各歯を覆って一体的に嵌合する睡眠時無呼吸症候群の無呼吸治療用装具兼用いびき防止装具に関するものである。
【背景技術】
【０００２】  睡眠中に高いいびきを発することによる障害の治療として、本件出願人が先に「スリープスプリント」と名ずけ発案したところの、口腔中に挿入し、上下歯列間に各歯を覆って一体的に嵌合する睡眠時無呼吸症候群の無呼吸治療用装具兼用いびき防止装具がある。図１はそのような従来のスリープスプリント（Ａ１）を示し、上歯列（Ｘ）、下歯列（Ｙ）［図示は石膏模型で示す］間に、睡眠時において口腔中に挿入し、図２（ａ）［前から見た図］、図２（ｂ）［側方から見た図］に示すように、各歯を覆って一体的に嵌合して使用するものである。これによって下顎を前方に移動させることにより舌が前方に移動し、舌根沈下を防ぎ、気道の狭窄（いびきの発生）、または気道の閉塞（無呼吸）を予防する。なお歯は永久歯は上下左右に７本づつ合計２８本あり、歯科領域では前歯は１〜３番、小臼歯は４〜５番、大臼歯は６〜７番、親知らずは８番と呼ばれている。
【非特許文献１】歯界展望  第７３巻  第７号  平成元年６月１５日発行「いびきの治療−睡眠時無呼吸症候群に対するスリープ・スプリントの効果−」中川健三  他
【発明の開示】
【発明が解決しようとする課題】
【０００３】  この発明は、口腔中に挿入し、上下歯列間に各歯を覆って一体的に嵌合する睡眠時無呼吸症候群の無呼吸治療用装具兼用いびき防止装具の改良に係るものである。
【課題を解決するための手段】
【０００４】  口腔中に挿入し、上下歯列間に各歯を覆って一体的に嵌合する睡眠時無呼吸症候群の無呼吸治療用装具兼用いびき防止装具において、上列の左右５番まで、下列の左右６番までを覆うようにし、上列の左右２〜２番の唇側を非覆い部とし、また上列の左右３〜３番の舌側を非覆い部としたことを特徴とする睡眠時無呼吸症候群の無呼吸治療用装具兼用いびき防止装具の構成とする。
【発明の効果】
【０００５】  上歯列（Ｘ）、下歯列（Ｙ）間に、睡眠時において口腔中に挿入し、各歯を覆って一体的に嵌合して使用することによって、嵌合具合において、従来品においては上側がきつめ（固め）で下側は緩めとしているのに対して、この発明のスリープスプリント（Ａ２）では上下ともに緩めとすることによって装着時の違和感を少なくすることができる。そして全体の大きさとしては従来品は上は左右７番まで、下は左右７番まで、すなわち最奥部まで覆うのに対して、この発明のスリープスプリント（Ａ２）は、上は左右５番まで、下は左右６番までとすることによって装着時の違和感を少なくすることができる。さらにこの発明のスリープスプリント（Ａ２）では、上の左右２〜２番の唇側に唇側非覆い部（Ｓ１）を設け、これによって装着時または使用後において上前歯が痛くなることがなく、とくに前歯に差し歯などの人工歯がある場合には、従来品においては人工歯が外れ易かったのが充分に外れにくくなる。さらにまた上の左右３〜３番の舌側にも舌側非覆い部（Ｓ２）を設けることによって舌の前方移動を妨げないようになり、装着違和感が軽減される。この発明のスリープスプリント（Ａ２）は、このようにして睡眠時無呼吸症候群の無呼吸治療用装具兼用いびき防止装具として好適となる。
【発明を実施するための最良の形態】
【０００６】  口腔中に挿入し、上下歯列間に各歯を覆って一体的に嵌合する睡眠時無呼吸症候群の無呼吸治療用装具兼用いびき防止装具において、上列の左右５番まで、下列の左右６番までを覆うようにし、上列の左右２〜２番の唇側を非覆い部とし、また上列の左右３〜３番の舌側を非覆い部としたことを特徴とする睡眠時無呼吸症候群の無呼吸治療用装具兼用いびき防止装具であり、嵌合具合を上下ともに緩めとするようにしたことを特徴とする前記記載の睡眠時無呼吸症候群の無呼吸治療用装具兼用いびき防止装具とする。
【実施例１】
【０００７】  図３はこの発明のスリープスプリント（Ａ２）を説明するもので、上歯列（Ｘ）、下歯列（Ｙ）［図示は石膏模型で示す］間に、睡眠時において口腔中に挿入し、図４（ａ）［前から見た図］、図４（ｂ）［側方から見た図］に示すように、各歯を覆って一体的に嵌合して使用する。前記図１〜図２の従来品［スリープスプリント（Ａ１）］と比べて実証して得た結果を総合して説明すると、嵌合具合において、従来品においては上側がきつめ（固め）で下側は緩めとしているのに対して、この発明のスリープスプリント（Ａ２）では上下ともに緩めとする。これによって装着時の違和感を少なくすることができる。全体の大きさとしては従来品は上は左右７番まで、下は左右７番まで、すなわち最奥部まで覆うのに対して、この発明のスリープスプリント（Ａ２）は、図４（ｂ）に示すように上は左右５番まで、下は左右６番までとする。これによって装着時に違和感を少なくすることができる。【０００８】  そしてこの発明のスリープスプリント（Ａ２）では、上の左右２〜２番の唇側［図４（ａ）参照］に唇側非覆い部（Ｓ１）を設ける。これによって装着時または使用後において上前歯が痛くなることがなく、とくに前歯に差し歯などの人工歯がある場合には、従来品においては人工歯が外れ易かったのが充分に外れにくくなる。さらに上の左右３〜３番の舌側にも舌側非覆い部（Ｓ２）を設ける。これによって舌の前方移動を妨げないようになり、装着違和感が軽減される。
【産業上の利用可能性】
【０００９】  この発明のスリープスプリント（Ａ２）は、たとえば透明な合成樹脂材などを用いて、使用者の体格に合わせて型取り後成形され、異常ないびきを発する患者に使用することにより、睡眠時無呼吸症候群の無呼吸治療用装具兼用いびき防止装具として、その治療に使用される。そして、患者名、歯科医院名などを記載したテープ類をこの発明のスリープスプリント（Ａ２）を形成する側壁面などの該当面に貼り、直ちに重合レジンで埋入することによって、スリープ・スプリント（Ａ２）において患者名、歯科医院名などの記入表示が可能となる。なおこの発明のスリープスプリント（Ａ２）は、適当な金属材あるいはその他の材質の材料を用いて作製されてもよい。
【図面の簡単な説明】
【００１０】
【図１】  従来品の睡眠時無呼吸症候群の無呼吸治療用装具兼用いびき防止装具を示す説明図。
【図２】  図１の睡眠時無呼吸症候群の無呼吸治療用装具兼用いびき防止装具の使用状態を説明する図。
【図３】  この発明の睡眠時無呼吸症候群の無呼吸治療用装具兼用いびき防止装具を示す説明図。
【図４】  図３の睡眠時無呼吸症候群治療用装具兼用いびき防止装具の使用状態を説明する図。
【符号の説明】
【００１１】    （Ａ１）  スリープスプリント［従来品］
（Ａ２）  スリープスプリント［本件発明品］
（Ｘ）    上歯列
（Ｙ）    下歯列
（Ｓ１）  唇側非覆い部
（Ｓ２）  舌側非覆い部
【図１】
2006020986.tif 000003
【図２】
2006020986.tif 000004
【図３】
2006020986.tif 000005
【図４】
2006020986.tif 000006